(57)【要約】【課題】動的粘弾性測定装置を用いて、上下冶具の間にクレンジング化粧料とメイクアップ化粧料を重ねて挟み、応力または歪みをかけて測定することで、クレンジング化粧料使用時のメイク馴染み特性を客観的に評価し、表現することができる方法を提供する。【解決手段】動的粘弾性測定装置を用いて物性を測定する方法で、測定により得られた貯蔵弾性率（Ｇ’）、損失弾性率（Ｇ”）、損失正接（ｔａｎδ）、Ｇ’またはＧ”またはｔａｎδの傾き、流動点（Ｆｌｏｗ  Ｐｏｉｎｔ）、降伏点（Ｙｉｅｌｄ  Ｐｏｉｎｔ）、法線応力差などのパラメータを解析することにより、クレンジング化粧料使用時に人が感じるメイク馴染み特性を客観的に評価する方法により上記課題を解決する。【選択図】図１
2019045302.tif 000002
【特許請求の範囲】
【請求項１】
動的粘弾性測定装置を用いて、クレンジング化粧料のメイク馴染み特性を客観的に評価する方法。
【請求項２】
動的粘弾性測定装置を用いて、クレンジング化粧料とメイクアップ化粧料を上下冶具の間に重ねて挟み、応力または歪みをかけて測定することを特徴とする請求項１記載のクレンジング化粧料使用時におけるメイク馴染み特性評価方法。
【請求項３】
動的粘弾性測定装置を用いて、クレンジング化粧料のメイク馴染み特性を測定し得られた値と、官能評価との相関関係を調べることにより、客観的に評価することを特徴とする請求項１または２記載のクレンジング化粧料使用時におけるメイク馴染み特性評価方法。
【請求項４】
動的粘弾性測定装置を用いて、クレンジング化粧料の使用感を測定することにより得られた値が、貯蔵弾性率（Ｇ’）、損失弾性率（Ｇ”）、損失正接（ｔａｎδ）、Ｇ’またはＧ”またはｔａｎδの傾き、流動点（Ｆｌｏｗ  Ｐｏｉｎｔ）または降伏点（Ｙｉｅｌｄ  Ｐｏｉｎｔ）における歪または応力、法線応力差、であることを特徴とする請求項１〜３いずれか記載のクレンジング化粧料使用時におけるメイク馴染み特性評価方法。
【発明の詳細な説明】
【技術分野】
【０００１】
本発明は、動的粘弾性測定装置を用いて、クレンジング化粧料使用時のメイク馴染み特性を評価する方法に関し、人の感覚を官能評価によらず、動的粘弾性測定装置を用いた物性測定により数値化し表現することを特徴とするクレンジング化粧料のメイク馴染み特性評価方法に関する。
【背景技術】
【０００２】
クレンジング化粧料の最も重要な機能はメイク落ちであるが、そのためには、メイクがクレンジング化粧料によく馴染む必要がある。従来、クレンジング化粧料のメイク馴染みに関する使用感は人による官能評価を主体として行われてきた。しかしながら人による官能評価は、評価者の先入観や、個性、体調等に依存することから、客観的かつ定量的な評価方法の開発が求められてきた。
【０００３】
そこで、クレンジング化粧料のメイク馴染み特性を数値化する方法がこれまでに検討されている。例えば前腕部に口紅を塗布し、クレンジングオイル使用後のメイク残存率を分光測色計から算出する方法が用いられている（例えば、非特許文献１参照。）。また、色変化によりメイク除去を評価できる、干渉粒子を含んだ化粧品組成物も提案されている（例えば、特許文献１参照。）。しかし、上記手法は、メイクとクレンジング化粧料を馴染ませる操作自体は人が行っていることから、条件を一定に揃えることが困難であり、試行ごとに結果が変わってくる可能性があった。
【先行技術文献】
【特許文献】
【０００４】
【特許文献１】特開２００６−３２８０７０号公報
【非特許文献】
【０００５】
【非特許文献１】Ｊ．Ｓｏｃ．Ｃｏｓｍｅｔ．Ｃｈｅｍ．Ｊｐｎ．３９（３）１８６−１９４（２００５）
【発明の概要】
【発明が解決しようとする課題】
【０００６】
本発明は動的粘弾性測定装置を用いて、クレンジング化粧料使用時に人が感じる感覚、特にメイク馴染み特性を官能評価によらず、容易にかつ精度よく評価することができる方法を提供することを目的とする。
【課題を解決するための手段】
【０００７】
本発明者らは上記課題を達成するために鋭意検討を行った結果、動的粘弾性測定装置を用いて、上下冶具の間にクレンジング化粧料とメイクアップ化粧料を重ねて挟み、応力または歪みをかけて測定することにより得られた値を解析することで、クレンジング化粧料使用時に人が感じる感覚、特にメイク馴染み特性を客観的に評価することができることを見出すに至った。
すなわち、本発明は、動的粘弾性測定装置を用いて、上下冶具の間にクレンジング化粧料とメイクアップ化粧料を重ねて挟み、応力または歪みをかけて測定し、得られた値を解析することにより、クレンジング化粧料使用時に人が感じる感覚、特にメイク馴染み特性を客観的に評価する方法である。
【発明の効果】
【０００８】
本発明の評価方法によれば、官能評価に頼ることなく、動的粘弾性測定装置によりクレンジング化粧料の使用感を測定し得られた値を解析することにより、クレンジング化粧料使用時に人が感じる感覚、特にメイク馴染み特性を客観的に評価することができる。
【図面の簡単な説明】
【０００９】
【図１】図１は測定開始時の測定冶具および試料の状態の図である。
【図２】図２はクレンジング化粧料の官能評価と機器測定値から得られた値の相関を取った図である。
【発明を実施するための形態】
【００１０】
以下、本発明の詳細を説明する。
本発明のクレンジング化粧料使用時に人が感じるメイク馴染み特性の評価方法は、動的粘弾性測定装置を用いて、応力または歪みをかける測定から得られた値により評価することができる。（以下、本評価方法とする。）
本評価方法において使用する装置は、動的粘弾性測定装置であれば特に制限するものではないが、例えば株式会社アントンパール社製のＭＣＲ−３０２を使用することができる。
また測定冶具は、パラレルプレート等を使用することができる。メイクを落とす際に人が感じるメイク馴染み特性をより再現するため、測定の際、図１に示すように上下冶具の間にクレンジング化粧料とメイクアップ化粧料を重ねて挟み、測定することが望ましい。
【００１１】
クレンジング化粧料とは、皮膚に塗布した化粧を落とすための化粧料のことを言う。
メイクアップ化粧料とは、ファンデーション、口紅、アイシャドウといった、顔の外観を装飾するための化粧料のことを言う。また、分類は異なるが、紫外線防止化粧料もクレンジング化粧料で落とす場合もあり、これをクレンジング化粧料で落とす対象としてもよい。
【００１２】
測定に際しての条件設定として、実使用時の環境および皮膚表面温度を考慮し、測定温度は１５〜４０℃が好ましい。応力をかける測定においては、０．０１〜１００００Ｐａの範囲で測定することが好ましい。また歪みをかける測定においては、０．０１〜１００００％の範囲で測定することが好ましい。
【００１３】
上記のようにしてクレンジング化粧料の使用感を、動的粘弾性測定装置を用いて、上下冶具の間にクレンジング化粧料とメイクアップ化粧料を重ねて挟み、応力または歪みをかけることにより測定することができる。さらに測定により得られた貯蔵弾性率（Ｇ’）、損失弾性率（Ｇ”）、損失正接（ｔａｎδ）、Ｇ’またはＧ”またはｔａｎδの傾き、流動点（Ｆｌｏｗ  Ｐｏｉｎｔ）、降伏点（Ｙｉｅｌｄ  Ｐｏｉｎｔ）、法線応力差を解析することにより、より忠実にクレンジング化粧料を使用した際に人が感じるメイク馴染み特性を評価することができる。
【００１４】
クレンジング化粧料使用時のメイク馴染み特性とは、クレンジング化粧料によりメイクアップ化粧料を皮膚から除去する際の、メイクアップ化粧料との馴染ませやすさをさす。
このメイク馴染み特性は、機器測定により得られた貯蔵弾性率（Ｇ’）、損失弾性率（Ｇ”）、損失正接（ｔａｎδ）、Ｇ’またはＧ”またはｔａｎδの傾き、流動点（Ｆｌｏｗ  Ｐｏｉｎｔ）、降伏点（Ｙｉｅｌｄ  Ｐｏｉｎｔ）、法線応力差に相当する。
次に実施例を挙げて本発明をさらに詳しく説明するが、本発明はこれらの実施例になんら制約されるものでない。
【実施例】
【００１５】
（評価方法）
機器測定はＭＣＲ−３０２（（株）アントンパール社製）を用いて、応力依存測定を行った。
冶具はパラレルプレート（直径：３５ｍｍ）とステージを用い、測定温度は２５℃、ギャップは０．２ｍｍ、周波数１Ｈｚで、応力０．１〜１０００Ｐａの範囲で測定を行った。さらにステージには予めスティックファンデーション０．１ｇを塗布し、その上にクレンジング化粧料を載せ、測定を行った。これにより得られた損失正接のデータから、損失正接が１から１００まで上昇する際の応力に対する傾きを表１に示す。
【００１６】
【表１】
2019045302.tif 000003
【００１７】
（官能評価）
官能評価は７名のパネルにより、市販のクレンジング化粧料を用いて、メイク馴染み特性について評価を実施した。評価は５段階で実施した。（最もよいものを５とした）得られた結果を表２に示す。
【００１８】
【表２】
2019045302.tif 000004
【００１９】
本発明により得られた物性値と、官能評価を２軸マッピングしたところ、図２より明らかなように、両者は相関関係にある。
【００２０】
上記結果より明らかなように、本発明の評価方法は、官能評価と近い結果を得ることができるものであり、官能評価の代替試験法として用いることができる。
【産業上の利用可能性】
【００２１】
本発明の評価方法によれば、クレンジング化粧料を使用した際に感じるメイク馴染み特性を機器測定に基づき表現することができる。これにより人の感覚に左右されること無く客観的な評価をすることが可能であり、産業上貢献大である。
【図１】
2019045302.tif 000005
【図２】
2019045302.tif 000006